(57)【要約】      （修正有）【課題】通気管の長さが調節可能であり、且つ、布団の支持機能を有する布団乾燥機を提供する。【解決手段】布団乾燥機は、乾燥機ハウジング１及び乾燥機ハウジングに接続される通気管２を備える。通気管は、伸縮構造であり、互いに連接する複数の伸縮管３を備え、複数の伸縮管は、首節管と、首節管に伸縮自在に収納された中部管と、中部管に伸縮自在に収納された尾節管を備える。中部管の数量は、少なくとも１つであり、首節管、中部管及び尾節管は、通気管の管軸方向に沿って伸縮する。尾節管には、フック部４が設けられ、乾燥機ハウジングには、フック部に対応する当止部１２が形成され、首節管は、乾燥機ハウジングにヒンジ結合されており、収納時、通気管は首節管と乾燥機ハウジングとのヒンジ結合箇所７に沿って内側へ回転し、フック部を当止部に当止させる。【選択図】図１
0003200682.tif 000002
【実用新案登録請求の範囲】
【請求項１】
乾燥機ハウジング及び前記乾燥機ハウジングに接続される通気管を備える布団乾燥機において、前記通気管は、伸縮構造であり、互いに連接する複数の伸縮管を備え、複数の伸縮管は、首節管と、前記首節管に伸縮自在に収納された中部管と、前記中部管に伸縮自在に収納された尾節管を備え、前記中部管の数量は、少なくとも１つであり、前記首節管、中部管及び尾節管は、通気管の管軸方向に沿って伸縮することができ、前記尾節管には、フック部が設けられ、前記乾燥機ハウジングには、前記フック部に対応する当止部が形成され、前記首節管は、前記乾燥機ハウジングにヒンジ結合され、前記通気管は、前記首節管と前記乾燥機ハウジングとのヒンジ結合箇所に沿って内側へ回転し、これにより、前記フック部を前記当止部に当止させることを特徴とする布団乾燥機。
【請求項２】
前記伸縮管の頂面には、内へ窪んだ軸方向のガイドレールが形成されることを特徴とする請求項１に記載の布団乾燥機。
【請求項３】
前記首節管の末端には、内へ延伸する第一内フランジが設けられ、前記中部管の前記首節管に近い端部には、外へ延伸する第一外フランジが設けられ、前記中部管の前記尾節管に近い端部には、内へ延伸する第二内フランジが設けられ、前記尾節管の前記中部管に近い端部には、外へ延伸する第二外フランジが設けられることを特徴とする請求項２に記載の布団乾燥機。
【請求項４】
前記中部管及び前記尾節管の側壁には、それぞれ通気口が設けられることを特徴とする請求項３に記載の布団乾燥機。
【請求項５】
前記フック部の当止面には、凸部が設けられ、前記乾燥機ハウジングには前記凸部と係合するための凹穴が設けられることを特徴とする請求項１に記載の布団乾燥機。
【請求項６】
前記尾節管の末端は、前記フック部内に嵌め込まれることを特徴とする請求項１に記載の布団乾燥機。
【請求項７】
前記首節管と前記乾燥機ハウジングとのヒンジ結合箇所には、係止構造が設けられ、前記係止構造は、前記乾燥ハウジング１に形成される係合溝部、前記首節管に形成される収容部及び突部と、を備え、前記収容部内には、圧縮ばねが設けられ、前記突部は、前記収容部内に設置され且つ前記圧縮ばねの外端に抵接され、前記突部は、係合溝部と係合することを特徴とする請求項１に記載の布団乾燥機。
【請求項８】
前記乾燥機ハウジングには、引き出し式のハンドルが設けられることを特徴とする請求項１ないし請求項７のいずれか１項に記載の布団乾燥機。
【考案の詳細な説明】
【技術分野】
【０００１】
本考案は、電気器具に関し、特に布団乾燥機に関するものである。
【背景技術】
【０００２】
布団は、水分を吸収した後、非常に重くなり、乾燥機を使用して乾燥する場合、通気管がホースであるため、その長さは伸縮調整することができなく、また、昇降角度は調整することもできなく、だから、布団を支持することができなく、布団の下方には、空間が形成されることができない。従って、乾燥機から輸送した熱風は、流通することができなく、布団と大面積に接触することができない。このような状況は、布団が除湿して乾燥し難い。従来の方法では、別の部品を利用して布団を支持し、その後、布団に除湿を行う。しかし、乾燥機を使用しない場合、支持部品を解体する必要があるため、とても不便である。
【考案の概要】
【考案が解決しようとする課題】
【０００３】
以上の問題点に鑑みて、本考案は、通気管の長さが調節可能であり、且つ、支持機能を有する布団乾燥機を提供することを目的とする。
【課題を解決するための手段】
【０００４】
上記の課題を解決するために、本考案に係る布団乾燥機は、乾燥機ハウジング及び前記乾燥機ハウジングに接続される通気管を備える。通気管は、伸縮構造であり、互いに連接する複数の伸縮管を備え、複数の伸縮管は、首節管と、首節管に伸縮自在に収納された中部管と、中部管に伸縮自在に収納された尾節管を備える。中部管の数量は、少なくとも１つであり、首節管、中部管及び尾節管は、通気管の管軸方向に沿って伸縮することができる。尾節管には、フック部が設けられ、乾燥機ハウジングには、フック部に対応する当止部が形成され、首節管は、乾燥機ハウジングにヒンジ結合され、通気管は、首節管と乾燥機ハウジングとのヒンジ結合箇所に沿って内側へ回転し、これにより、フック部を当止部に当止させる。
【０００５】
また、本考案に係る布団乾燥機において、前記伸縮管の頂面には、内へ窪んだ軸方向のガイドレールが形成される。
【０００６】
また、本考案に係る布団乾燥機において、前記首節管の末端には、内へ延伸する第一内フランジが設けられ、前記中部管の前記首節管に近い端部には、外へ延伸する第一外フランジが設けられ、前記中部管の前記尾節管に近い端部には、内へ延伸する第二内フランジが設けられ、前記尾節管の前記中部管に近い端部には、外へ延伸する第二外フランジが設けられる。
【０００７】
また、本考案に係る布団乾燥機において、前記中部管及び前記尾節管の側壁には、それぞれ通気口が設けられる。
【０００８】
また、本考案に係る布団乾燥機において、前記フック部の当止面には、凸部が設けられ、前記乾燥機ハウジングには前記凸部と係合するための凹穴が設けられる。
【０００９】
また、本考案に係る布団乾燥機において、前記尾節管の末端は、前記フック部内に嵌め込まれる。
【００１０】
また、本考案に係る布団乾燥機において、前記首節管と前記乾燥機ハウジングとのヒンジ結合箇所には、係止構造が設けられ、前記係止構造は、前記乾燥ハウジング１に形成される係合溝部、前記首節管に形成される収容部及び突部と、を備え、前記収容部内には、圧縮ばねが設けられ、前記突部は、前記収容部内に設置され且つ前記圧縮ばねの外端に抵接され、前記突部は、係合溝部と係合する。
また、本考案に係る布団乾燥機において、前記乾燥機ハウジングには、引き出し式のハンドルが設けられる。
【考案の効果】
【００１１】
従来の技術と比べると、本考案に係る布団乾燥機において、各伸縮管を引き伸ばす或いは圧縮することによって通気管の適切な長さを調整することができ、複数の伸縮管は、連接位置に応じて、首節管、中部管及び尾節管を備え、首節管は、乾燥機ハウジングにヒンジ結合され、尾節管には、フック部が設けられ、使用しない時、先ず、通気管を収縮させ、中部管及び尾節管を首節管内に収縮させ、次に、尾節管のフック部が乾燥機ハウジングの当止部に当止されるまで、通気管の首節管をヒンジ結合箇所に沿って内側へ回転させ、収納に便利である。また、ヒンジ結合箇所の回転により、通気管の角度を自由に調整することができ、これにより、ユーザの様々な需要を満たすことができる。さらに、尾節管のフック部は、布団を支持することができ、布団の下方に空間が形成されることができ、これにより、布団と気流との接触面積を増加し、布団の除湿乾燥効果を向上することができる。また、本考案に係る布団乾燥機は、更に、衣類等を乾燥してもよく、或いは、加熱装置として使用されることができる。
【図面の簡単な説明】
【００１２】
【図１】本考案の実施例に係る布団乾燥機の使用状態を示す立体斜視図である。
【図２】図１に示した布団乾燥機の通気管の立体斜視図である。
【図３】図１に示した布団乾燥機の収納状態を示す立体斜視図である。
【図４】図１に示した布団乾燥機の平面図である。
【図５】図４に示した布団乾燥機のＡ−Ａ線に沿う断面図である。
【考案を実施するための形態】
【００１３】
以下、図面に基づいて、本考案に係る布団乾燥機について詳細に説明する。
【００１４】
〔実施形態〕 
図１〜図５を参照すると、本考案の実施形態に係る布団乾燥機は、乾燥機ハウジング１及び乾燥機ハウジング１に接続される通気管２を備える。通気管２は、伸縮構造であり、互いに連接する複数の伸縮管３を備える。複数の伸縮管３は、首節管３０と、首節管３０に伸縮自在に収納された中部管３１と、中部管３１に伸縮自在に収納された尾節管３２と、を備える。中部管３１の数量は、少なくとも１つである。首節管３０、中部管３１及び尾節管３２は、管軸方向に沿って伸縮することができる。尾節管３２の末端には、フック部４が設けられ、乾燥機ハウジング１には、フック４に対応する当止部１２が形成される。首節管３０は、乾燥機ハウジング１にヒンジ結合される。首節管３０は、ヒンジ結合箇所７に沿って内側に回転し、これにより、フック部４は、当止部１２に当止されることができる。
【００１５】
首節管３０及び尾節管３２は、通気管２の両端に位置され、中部管３１は、首節管３０及び尾節管３２を連接する。中部管３１の数量は、複数である。図１〜図３に示すように、２つの中部管３１を例とする。通気管２が収縮する場合、尾節管３２は、中部管３１内に収縮され、中部管３１は、首節管３０内に収縮され、次に、首節管３０は、尾節管３２のフック部４が乾燥機ハウジング１の当止部１２に当止されるまで、ヒンジ結合箇所７に沿って回転される。尾節管３２のフック部と当止部１２との接続の安定性を向上するために、フック部４の当止面には、凸部４０が設けられ、乾燥機ハウジング１には、凸部４０と係合するための凹穴１０が設けられる。
【００１６】
以下、前記布団乾燥機に基づいて更なる改善を行う。軸方向は、各伸縮管３の伸縮方向であり、各伸縮管３の頂面には、軸方向に垂直する方向に沿って内へ窪んだ軸方向のガイドレールが形成される。これにより、各伸縮管３の接続は、更に安定する。また、通気管２が伸縮する場合、ガイドレールの案内により、各伸縮管３の移動は、管軸方向からずれなく、各伸縮管３が詰まって動けなくなる現象を防止することができる。
【００１７】
各伸縮管３の端部の接合箇所は、フランジ構造セットを介して当接され、各伸縮管３が過度の引っ張りため、互いに分離されることを防止することができる。具体的には、首節管３０の末端の内週面には、内へ延伸する第一内フランジが設けられ、中部管３１の首節管３０に近い端部の外週面には、外へ延伸する第一外フランジ６が設けられ、中部管３１の尾節管３２に近い端部の内週面には、内へ延伸する第二内フランジが設けられ、尾節管３２の中部管３１に近い端部の外週面には、外へ延伸する第二外フランジが設けられる。通気管２を引き伸ばす場合、中部管３１の第一外フランジ６は、首節管３０の第一内フランジに当接され、これにより、中部管３１は、首節管３０から離脱されなく、尾節管３２の第二外フランジは、中部管３１の第二内フランジに当接され、これにより、尾節管３２は、中部管３１から離脱されない。
【００１８】
従来の通気管は、一般的には、１つの通気口のみが設けられ、該通気口は、通気管の末端に設けられる。このような構造は、排気が集中しすぎるため、気体が流通することができない。本考案に係る布団乾燥機において、中部管３１及び尾節管３２の側壁には、それぞれ通気口５が設けられ、これにより、熱風は、様々な方向から排出され、布団との接触面積を増大し、除湿乾燥効果を向上することができる。
【００１９】
尾節管３２の末端は、フック部４に嵌め込まれ、工程が簡単である。図２に示すように、フック部４には、貫通孔が設けられ、尾節管３２の末端は、フック部４の貫通孔内に嵌め込まれる。また、乾燥機ハウジング１には、布団乾燥機を運ぶための引き出し式のハンドル８が設けられる。
【００２０】
通気管２は、ヒンジ結合方式を採用して乾燥機ハウジング１に連接される。ヒンジ結合は、一般的にシャフトを採用する。通気管２は、ヒンジ結合箇所７に沿って回転して、異なる角度の調整を実現することができる。固定角度調整を実現するために、ヒンジ結合箇所７には、係止構造が設けられる。係止構造は、係合溝部１１、突部９及ぶ圧縮ばね９０を備える。係合溝部１１は、乾燥ハウジング１に形成され、ヒンジ結合箇所７の首節管３０には、収容部が形成され、圧縮ばね９０は、収容部内に設置され、突部９は、収容部内に設置され且つ圧縮ばね９０の外端に抵接される。首節管３０を回転する場合、突部９は、圧縮ばね９０の弾力によって係合溝部１１の係合溝内に押入され、これにより、通気管２の角度は固定される。突部９を合溝部１１の異なる係合溝内に係合することによって異なる角度の調節を実現することができる。
【符号の説明】
【００２１】
１  乾燥機ハウジング
２  通気管
３  伸縮管
４  フック部
５  通気口
６  第一外フランジ
７  ヒンジ結合箇所
８  ハンドル
９  突部
１０  凹穴
１１  係合溝部
１２  当止部
３０  首節管
３１  中部管
３２  尾節管
４０  凸部
９０  圧縮ばね
【図１】
0003200682.tif 000003
【図２】
0003200682.tif 000004
【図３】
0003200682.tif 000005
【図４】
0003200682.tif 000006
【図５】
0003200682.tif 000007